(57)【特許請求の範囲】
【請求項１】
駆動源によって回転駆動される円形鋸刃（１）を支軸（２）で回転自在に支持し、この円形鋸刃（１）の後方部分を覆う固定カバー（３）を設けた携帯用円形鋸装置において、
前記固定カバー（３）内の塵埃を固定カバー（３）の側方へ排出する塵埃排出口（４）を固定カバー（３）に設け、
円形鋸刃（１）の刃先外周よりやや円形鋸刃（１）の中心側寄りの固定カバー（３）の両内壁面（３ａ，３ａ）に、円形鋸刃（１）が介在し得る所定の間隔を置いて互いに内方向に対向した円弧状のリブ（５，５）を設け、
前記塵埃排出口（４）に塵埃の流れ方向における前端が一部重なり、後端が固定カバー（３）内の円形鋸刃（１）の回転出口（６）側に渡って、円形鋸刃（１）の回転方向に所定の幅を有し、かつ、円形鋸刃（１）の刃先外周部（１ａ）が介在し得る所定の間隔を有する断面“コ”字型の溝の開口を内方にした耐磨耗材製の塵埃堰き止め部材（７）を設けたことを特徴とする携帯用円形鋸装置の集塵機構。
【発明の詳細な説明】
【０００１】
【発明の属する技術分野】
この発明は、例えば、アスファルトやコンクリートの路面、コンクリートブロック、その他、金属棒等を切断することができる携帯用円形鋸装置の集塵機構の改良に関するものである。
【０００２】
【従来の技術】
図６は従来一般の携帯用円形鋸装置を一側面から見た斜視図、図７は同他側面から見た斜視図であり、１１は機体１２に支軸１３で回転自在に支持された円形鋸刃（ダイヤモンドブレード）、１４は円形鋸刃１１の後方部分を覆う固定カバー、１４′は円形鋸刃１１の後方部分の下方を覆う可動カバー、１５は図示しないベルト等を介して前記円形鋸刃１１を回転駆動するモーター、１６はモーター１５に電源を供給するスイッチ、１７は不用意に前記スイッチがオンにならないようにするロックボタン、１８は前記スイッチ１６を介してモーター１５に接続された電源コード、１９は機体１２に取り付けた脚、２０は機体１２に取り付けたフロントハンドル、２１は同リヤハンドルで、このリヤハンドル２１に前記スイッチ１６およびロックボタン１７が取り付けられている。２２は前記固定カバー１４に設けた塵埃排出口２３（図８参照）に連通したファンケース、２４はこのファンケース２２に連通した塵埃排出ホースであり、前記ファンケース２２の中に、塵埃を塵埃排出ホース２４に送り出す図示しない集塵ファンが設けられている。２５は前記モーター１５の動力を円形鋸刃１１に伝動させるベルト等を覆うカバーである。
【０００３】
図８は円形鋸刃の固定カバーに備えた集塵機構を示した図、図９は図８のＤ−Ｄ線における断面図、図１０は図８のＥ−Ｅ線における断面図であり、前記固定カバー１４は二つ割りにしたものを接合しており、円形鋸刃１１の刃先外周１１ａよりやや円形鋸刃１１の中心側寄りの固定カバー１４の両内壁面１４ａ，１４ａに円形鋸刃１１が介在し得る所定の間隔を置いて互いに内方向に対向した円弧状のリブ１４ｂ，１４ｂが形成され、さらに、前記塵埃排出口２３の塵埃の流れの下流側に、円形鋸刃１１の刃先外周１１ａ部が介在し得る所定の間隔を置いて互いに内方向に対向した塵埃堰き止めリブ１４ｃ，１４ｃが形成されている。そして、前記円形鋸刃１１が、図８で矢印で示すように、時計回り方向に回転して、その方向に円形鋸刃１１に沿って流れる塵埃が前記塵埃堰き止めリブ１４ｃ，１４ｃで堰き止められ、前記塵埃排出口２３から固定カバー１４の外に排出される。なお、図８に示すＷは円形鋸刃１１で切断されるコンクリートブロック、ｗはコンクリートブロックの切断によって生じる塵埃である。
【０００４】
【発明が解決しようとする課題】
従来の携帯用円形鋸装置の集塵機構は、前記塵埃堰き止めリブ１４ｃ，１４ｃで塵埃を堰き止めて塵埃排出口２３の方向へ塵埃の流れを誘導しているが、前記塵埃堰き止めリブ１４ｃ，１４ｃは、円形鋸刃１１の回転方向および塵埃の流れ方向に幅が短いので、前記ファンケース２２の中に配設された図示しない集塵ファンを余程強力なものにしないと、塵埃が、前記塵埃堰き止めリブ１４ｃ，１４ｃと円形鋸刃１１の間隙を漏洩して、固定カバー１４の円形鋸刃１１の回転出口１４ｄ側へ排出され、作業者がその塵埃を吸い込むおそれがある、といった問題があった。
この発明は、前記のような問題を解決した携帯用円形鋸装置の集塵機構を提供することを目的としたものである。
【０００５】
【課題を解決するための手段】
この発明は、前記目的を達成するために、駆動源によって回転駆動される円形鋸刃１を支軸２で回転自在に支持し、この円形鋸刃１の後方部分を覆う固定カバー３を設けた携帯用円形鋸装置において、前記固定カバー３内の塵埃を固定カバー３の側方へ排出する塵埃排出口４を固定カバー３に設け、円形鋸刃１の刃先外周よりやや円形鋸刃１の中心側寄りの固定カバー３の両内壁面３ａ，３ａに、円形鋸刃１が介在し得る所定の間隔を置いて互いに内方向に対向した円弧状のリブ５，５を設け、前記塵埃排出口４に塵埃の流れ方向における前端が一部重なり、後端が固定カバー３内の円形鋸刃１の回転出口６側に渡って、円形鋸刃１の回転方向に所定の幅を有し、かつ、円形鋸刃１の刃先外周部１ａが介在し得る所定の間隔を有する断面“コ”字型の溝の開口を内方にした耐磨耗材製の塵埃堰き止め部材７を設けたことを特徴とする携帯用円形鋸装置の集塵機構としたものである。
【０００６】
【発明の実施の形態】
図１はこの発明の携帯用円形鋸装置の集塵機構の側面図、図２はその集塵機構を構成する耐磨耗材製の塵埃堰き止め部材の斜視図、図３は図１のＡ−Ａ線における断面図、図４は図１のＢ−Ｂ線における断面図、図５は図１のＣ−Ｃ線における断面図であり、１はモーター等の駆動源によって回転駆動されるように支軸２で回転自在に支持して設けた円形鋸刃（ダイヤモンドブレード）、３はこの円形鋸刃１の後方部分を覆うように設けた固定カバー、３′は円形鋸刃１の後方部分の下方を覆う可動カバーであり、前記固定カバー３は二つ割りにしたものを接合自在にしている。
【０００７】
４は前記固定カバー３内の塵埃を固定カバー３の側方へ排出するように固定カバー３の一側面に設けた塵埃排出口、５，５は前記円形鋸刃１の刃先外周よりやや円形鋸刃１の中心側寄りの固定カバー３の両内壁面３ａ，３ａに円形鋸刃１が介在し得る所定の間隔を置いて互いに内方向に対向して設けた円弧状のリブ、７は前記塵埃排出口４から固定カバー３内の円形鋸刃１の回転出口６側にかけて塵埃排出口４に連通するように設けた耐磨耗材製の塵埃堰き止め部材で、この塵埃堰き止め部材７は、円形鋸刃１の刃先外周部１ａが介在し得る所定の間隔を有する“コ”字型の溝の開口を内方にした形状をしている。
【０００８】
前記塵埃堰き止め部材７は、図１および図５に示すように、塵埃の入口側が前記塵埃排出口４に一部重なるように配設している。また、前記塵埃堰き止め部材７は、耐磨耗材を使用しているが、たとえ磨耗した場合でも、交換可能となっている。
なお、図１に示すＷは円形鋸刃１で切断されるコンクリートブロック、ｗはコンクリートブロックの切断によって生じる塵埃である。
【０００９】
この発明の携帯用円形鋸装置の集塵機構は、前記のように構成しているので、従来例で説明したような集塵ファンを強力なものにしなくても、耐磨耗材製の塵埃堰き止め部材７は、円形鋸刃１の回転方向および塵埃の流れ方向に所定の幅を有しているので、円形鋸刃１に沿って円形鋸刃１の回転方向へ流れる塵埃が、円形鋸刃１の側面と塵埃堰き止め部材７との間の、所定の幅に渡った間隙によって空気の流れる抵抗が大きくなるため、この間隙から塵埃が漏れ難くなり、有効に堰き止められて、前記塵埃排出口４の方へ誘導されるので、塵埃が、前記塵埃堰き止め部材７と円形鋸刃１の側面との間隙を漏れて、固定カバー３の円形鋸刃の回転出口６側へ排出され、作業者がその塵埃を吸い込むようなおそれはなくなる。
【００１０】
また、前記耐磨耗材製の塵埃堰き止め部材７を、図１および図５に示すように、前記塵埃排出口４に塵埃の流れ方向における前端が一部重なり、後端が固定カバー３内の円形鋸刃１の回転出口６側に渡って配設すると、前記塵埃堰き止め部材７の前端と塵埃の流れ方向に対向する塵埃排出口４の内壁面との間に生じた段差により、塵埃が有効に堰き止められて前記塵埃排出口４の方へ誘導され、効率がよくなる。
【００１１】
【発明の効果】
請求項１に記載の発明は、駆動源によって回転駆動される円形鋸刃を支軸で回転自在に支持し、この円形鋸刃の後方部分を覆う固定カバーを設けた携帯用円形鋸装置において、前記固定カバー内の塵埃を固定カバーの側方へ排出する塵埃排出口を固定カバーに設け、円形鋸刃の刃先外周よりやや円形鋸刃の中心側寄りの固定カバーの両内壁面に、円形鋸刃が介在し得る所定の間隔を置いて互いに内方向に対向した円弧状のリブを設け、前記塵埃排出口に塵埃の流れ方向における前端が一部重なり、後端が固定カバー内の円形鋸刃の回転出口側に渡って、円形鋸刃の回転方向に所定の幅を有し、かつ、円形鋸刃の刃先外周部が介在し得る所定の間隔を有する断面“コ”字型の溝の開口を内方にした耐磨耗材製の塵埃堰き止め部材を設けたことを特徴とする携帯用円形鋸装置の集塵機構としたもので、すなわち、前記塵埃堰き止め部材は、従来の塵埃堰き止めリブに比べて、円形鋸刃の回転方向および塵埃の流れ方向に所定の幅を有するので、空気の流れる抵抗が大きくなるため、塵埃を堰き止める効果が大きくなり、塵埃が有効に堰き止められて前記塵埃排出口の方へ誘導されるので、従来例で説明したような集塵ファンを強力なものにしなくても、前記塵埃堰き止め部材と円形鋸刃の間隙を漏洩して、塵埃が固定カバーの円形鋸刃の回転出口側へ排出されなくなり、作業者が排出された塵埃を吸い込むようなおそれはなくなる。
【００１２】
また、前記耐磨耗材製の塵埃堰き止め部材は、前記塵埃排出口に、塵埃の流れ方向における前端が一部重なり、後端が固定カバー内の円形鋸刃の回転出口側に渡って配設されているので、前記塵埃堰き止め部材の前端と塵埃の流れ方向に対向する塵埃排出口の内壁面との間に生じた段差により、塵埃がより有効に堰き止められて前記塵埃排出口の方へ誘導されるので、集塵効率が上がり、集塵ファンを強力なものにしなくても、前記塵埃堰き止め部材と円形鋸刃の間隙を漏洩して、塵埃が固定カバーの円形鋸刃の回転出口側へ排出されなくなる。
【図面の簡単な説明】
【図１】  この発明の携帯用円形鋸装置の集塵機構の側面図である。
【図２】  この発明の携帯用円形鋸装置の集塵機構を構成する塵埃堰き止め部材の斜視図である。
【図３】  図１のＡ−Ａ線における断面図である。
【図４】  図１のＢ−Ｂ線における断面図であ。
【図５】  図１のＣ−Ｃ線における断面図であ。
【図６】  従来一般の携帯用円形鋸装置を一側面から見た斜視図である。
【図７】  従来一般の携帯用円形鋸装置を他側面から見た斜視図である。
【図８】  従来の円形鋸刃の固定カバーに備えた集塵機構を示した図である。
【図９】  図８のＤ−Ｄ線における断面図である。
【図１０】  図８のＥ−Ｅ線における断面図である。
【符号の説明】
１    円形鋸刃
１ａ    刃先外周部
２    支軸
３    固定カバー
３′  可動カバー
３ａ    内壁面
４    塵埃排出口
５    円弧状のリブ
６    回転出口
７    塵埃堰き止め部材
１１    円形鋸刃
１１ａ  刃先外周
１２    機体
１３    支軸
１４    固定カバー
１４′  可動カバー
１４ａ  内壁面
１４ｂ  円弧状のリブ
１４ｃ  塵埃堰き止めリブ
１４ｄ  回転出口
１５    モーター
１６    スイッチ
１７    ロックボタン
１８    電源コード
１９    脚
２０    フロントハンドル
２１    リヤハンドル
１２    ファンケース
２３    塵埃排出口
２４    塵埃排出ホース
２５    カバー
Ｗ      コンクリートブロック
ｗ      塵埃
【図１】
0003802620.tif 000002
【図２】
0003802620.tif 000003
【図３】
0003802620.tif 000004
【図４】
0003802620.tif 000005
【図５】
0003802620.tif 000006
【図６】
0003802620.tif 000007
【図７】
0003802620.tif 000008
【図８】
0003802620.tif 000009
【図９】
0003802620.tif 000010
【図１０】
0003802620.tif 000011